(57)【要約】【課題】上部の吸盤本体の傾きを防止して上部に吸着させた物体を水平に安定して支持し、特に液体の入ったコップや食器、花瓶などを水平に支持させることができる両面吸盤を提供するものである。【解決手段】軟質のプラスチックで成型された２個のドーム状をなす吸盤本体４Ａ、４Ｂの吸着面５Ａ、５Ｂを互いに外側に向けて、中心部を一体に接合した両面吸盤１において、前記吸盤本体４Ｂのドーム状外面９Ｂに、複数個の支持突起１０を同一円周上に配置したことを特徴とするものである。【選択図】  図１
2005265085.tif 000002
【特許請求の範囲】
【請求項１】
軟質のプラスチックで成型された２個のドーム状をなす吸盤本体の吸着面を互いに外側に向けて、中心部を一体に接合した両面吸盤において、前記吸盤本体のドーム状外面に、複数個の支持突起を配置したことを特徴とする両面吸盤。
【請求項２】
複数個の支持突起を、ドーム状外面の同一円周上に等間隔で配置したことを特徴とする請求項１記載の両面吸盤。
【発明の詳細な説明】
【技術分野】
【０００１】
本発明は、両面吸盤に関するものである。
【背景技術】
【０００２】
従来、２個のドーム状をなす吸盤本体の吸着面を互いに外側に向けて、中心部を一体に接合した両面吸盤が開発されている。この両面吸盤は、壁とタンスあるいは棚と花瓶などの間に挟み込んで、互いに吸着させて固定するようになっている。両面吸盤で固定されているものを移動させる時に吸着力が強いと、狭い所に取付けた場合には、外しにくい問題がある。このため両面吸盤の接合面に横穴を開けてここに紐を通して、紐の一端を吸盤の外面に接合し、他端に小さな吸盤を接合して剥離を容易にした両面吸盤（例えば特許文献１）が提案されている。
【０００３】
しかしながら図７に示すように両面吸盤１を使用してテーブル２の上に、コップ３を吸着させると、両面吸盤１は軟質のプラスチックで形成された２個のドーム状をなす吸盤本体４Ａ、４Ｂの吸着面５Ａ、５Ｂが互いに外側に向けて中心の接合部６で一体に接合されているため、上部の吸盤本体４Ａが接合部６を回動中心として自由に傾き、液体７の入ったコップ３を水平に支持することができない欠点があった。このためコップ３に液体７が沢山入っている場合、コップ３を取付けると傾いてこぼれてしまう問題があった。
【特許文献１】特開２００１−５６０１４
【発明の開示】
【発明が解決しようとする課題】
【０００４】
本発明は上記問題を改善し、上部の吸盤本体の傾きを防止して上部に吸着させた物体を水平に安定して支持し、特に液体の入ったコップや食器、花瓶などを水平に支持させることができる両面吸盤を提供するものである。
【課題を解決するための手段】
【０００５】
本発明の請求項１記載の両面吸盤は、軟質のプラスチックで成型された２個のドーム状をなす吸盤本体の吸着面を互いに外側に向けて、中心部を一体に接合した両面吸盤において、前記吸盤本体のドーム状外面に、複数個の支持突起を配置したことを特徴とするものである。
【０００６】
本発明の請求項２記載の両面吸盤は、複数個の支持突起を、ドーム状外面の同一円周上に等間隔で配置したことを特徴とするものである。
【発明の効果】
【０００７】
本発明に係る請求項１記載の両面吸盤によれば、下部吸盤本体をテーブルなどに吸着させ、上部吸盤本体の吸着面に物体を吸着させて平板状になると、そのドーム状外面が下部吸盤本体のドーム状外面の突設した支持突起に当接して、物体を水平に保持させることができる。
【０００８】
また請求項２記載の両面吸盤によれば、複数個の支持突起を、ドーム状外面の同一円周上に等間隔で配置したので、物体を吸着させた状態で、その重量がアンバランスに加わっても、支持突起で均等に受けて水平に支持することができる。
【発明を実施するための最良の形態】
【０００９】
液体の入ったコップをテーブルに吸着させて水平に保持できる両面吸盤を実現した。
【実施例１】
【００１０】
以下本発明の実施例を図１ないし図４を参照して詳細に説明する。両面吸盤１は、軟質のプラスチックで成型された２個のドーム状をなす吸盤本体４Ａ、４Ｂの吸着面５Ａ、５Ｂを互いに外側に向けて、中心部を接合部６で一体に接合し、前記下部の吸盤本体４Ｂのドーム状外面９Ｂに、図３に示すように３個の支持突起１０を同一円周上に配置したものである。なお１１は、ドーム状外面９Ａ、９Ｂの周縁に突設した剥離つまみ片である。
【００１１】
上記構成の両面吸盤１は図４に示すように、先ずテーブル２に両面吸盤１のドーム状をなす吸盤本体４Ｂの吸着面５Ｂを押し付けて内部の空気を排出して平板状にするとテーブル２に吸着し、軟質のプラスチックの弾性により復帰しようとして中心部に真空部１２Ｂが形成される。次に液体７を入れたコップ３の底部を、上部吸盤本体４Ａの吸着面５Ａに押し付けると内部の空気が排出されて吸着し、軟質のプラスチックの弾性により復帰しようとして中心部に真空部１２Ａが形成される。
【００１２】
上部吸盤本体４Ａの吸着面５Ａが平板状になると、そのドーム状外面９Ａが下部吸盤本体４Ｂのドーム状外面９Ｂの同一円周上に突設した３個の支持突起１０に当接して、上部の吸盤本体４Ａは水平に保持される。
【００１３】
この結果、手がコップ３に触れても水平が保持され内部の液体７が、こぼれるのを防止することができる。このため幼児や介護を要する人が、食事する時に食器を倒すことがなく安定して支持することができる。またコップ３に限らず、皿などを固定することもでき、トレーに入れて運ぶ時に液体がこぼれることもない。
【実施例２】
【００１４】
図５は本発明の他の実施例を示すもので、この両面吸盤１は吸盤本体４Ｂのドーム状外面９Ｂに、接合部６を囲んで複数の支持突起１０を同一円周上に配置したものである。この構造では、上部の吸盤本体４Ａに物体を吸着させた状態で、その重量がアンバランスに加わっても、支持突起１０で水平に支持することができる。また壁面に両面吸盤１を取付けて、鏡などを吸着保持させた場合にも、鏡が傾かず垂直に支持させることができる。
【００１５】
図６は本発明の更に異なる他の実施例を示すもので、この両面吸盤１は吸盤本体４Ａ、４Ｂのドーム状外面９Ａ、９Ｂの接合部６を囲んで複数の支持突起１０を同一円周上に、互いに位置をずらして配置したものである。この構造では、ドーム状外面９Ａ、９Ｂの両面に支持突起１０が設けられ、物体を吸着させた状態で、その重量がアンバランスに加わっても、支持突起１０で水平に支持することができる。
【産業上の利用可能性】
【００１６】
なお上記説明では、コップ３や皿など食器を固定する場合について示したが、花瓶や小型船舶内の備品などを固定する手段としても利用できる。またテレビや人形ケースの底面の少なくとも３か所を、両面吸盤１で吸着させることにより、テレビや人形ケースを水平に支持できると共に、強力に吸着して地震の発生時に確実に固定して落下を防止することができる。
【００１７】
また、電化製品や機器類などを段ボール箱に入れて輸送する場合にも、電化製品や機器類の周囲に、複数の両面吸盤１の一方の吸着面５Ａを取付けることにより他方の吸着面５Ｂが段ボール箱の内面に吸着していなくても、軟質のプラスチックで成型された吸盤本体４Ａ、４Ｂの弾性により緩衝作用が働いて安全に輸送することができる。
【００１８】
また底面に両面吸盤１を取付けることにより電化製品や機器類を強固に保持して輸送することができる。また段ボール箱の底面に両面吸盤１を取付ける場合には、表面が平滑なプラスチックシールを両面テープで接着し、この上に両面吸盤１の下部吸盤本体４Ｂを取り付ければ空気の侵入がなく強固に吸着させることができる。また輸送に使用した後は両面吸盤１を取外すことにより何度でも繰り返して再利用することができ、従来の発泡プラスチックを使用した緩衝材のような廃棄に伴う環境上の問題もない。
【図面の簡単な説明】
【００１９】
【図１】本発明の実施例による両面吸盤を示す斜視図である。
【図２】図１の両面吸盤を示す断面図である。
【図３】図１の両面吸盤の下部吸盤本体を示す水平断面図である。
【図４】図１の両面吸盤にコップを支持させた状態を示す断面図である。
【図５】本発明の他の実施例による両面吸盤を示す斜視図である。
【図６】本発明の他の実施例による両面吸盤を示す斜視図である。
【図７】従来の両面吸盤にコップを支持させた状態を示す正面図である。
【符号の説明】
【００２０】
１    両面吸盤                                              
２    テーブル                                              
３    コップ                                                
４Ａ  吸盤本体                                              
４Ｂ  吸盤本体                                              
５Ａ  吸着面                                                
５Ｂ  吸着面                                                
６    接合部                                                
７    液体                                                  
９    ドーム状外面                                          
１０  支持突起                                              
１１  剥離つまみ片                                          
１２Ａ真空部                                                
１２Ｂ真空部  
【図１】
2005265085.tif 000003
【図２】
2005265085.tif 000004
【図３】
2005265085.tif 000005
【図４】
2005265085.tif 000006
【図５】
2005265085.tif 000007
【図６】
2005265085.tif 000008
【図７】
2005265085.tif 000009